Podtech/llm-jp-corpus-v4-ja_patent huggingface dataset:
(57)【要約】【課題】  従来のコンピュータを利用した購買品調達システムは、仕入先や工程（分類）などを入力する際に、あらかじめ登録された基本情報のキーワード（仕入先番号など）を入力しなければならないが、そのキーワードを検索するために、検索画面が用意されている。しかし、検索を行う場合は仕入先であれば、仕入先番号の一部やフリガナ、電話番号などを使って検索するため、検索を行う前に、利用者が頭の中で利用したい仕入先をまず考えて、その仕入先の番号を検索するための検索システムでしかなかった。【解決手段】基本情報の利用実績を、二種類のキーワードの組み合わせによって実績回数を記録することにより、今回、購買品調達を行おうとする部品のキーワードで検索し、検索結果を集計した結果、実績回数が多いものから順に表示することで、利用者が必要な基本情報を頭の中で検索する作業を補助し、誰でも必要な基本情報を検索できるようにする。【選択図】図１
2006172330.tif 000002
【特許請求の範囲】
【請求項１】
コンピュータを利用した購買品調達システムにおいて、過去に利用した複数の基本情報（仕入先・品目番号・工程）のキーワードを二種類の組み合わせで利用実績として実績回数を記録し、記録された組み合わせの利用実績から今回使用すべき基本情報を、二種類の片方を使って検索し、その検索結果で実績回数を集計して、実績回数の多いものを優先的に表示する検索システム。
【請求項２】
前記利用実績において、基本情報として登録されている情報以外（品名・仕様・メーカー名・材質など）のキーワードを利用し、同様に利用実績として記録して、記録された組み合わせの利用実績から今回使用すべき基本情報を、二種類の片方を使って検索し、その検索結果で実績回数を集計して、実績回数の多いものを優先的に表示する検索システム。
【請求項３】
前記利用実績において、優先度の高い組み合わせの利用実績について、特定の係数を持たせることで、実績回数を変化させ検索順位を上位に表示する検索システム。
【発明の詳細な説明】
【技術分野】
【０００１】
本発明は、購買品調達システムに関し、登録されている基本情報を入力・選択する際に効率的で適切な基本情報を検索するための検索システムに関する。
【背景技術】
【０００２】
従来のコンピュータを利用した購買品調達システムは、仕入先や工程（分類）などを入力する際に、あらかじめ登録された基本情報のキーワード（仕入先番号など）を入力しなければならないが、そのキーワードを検索するために、検索画面が用意されている。しかし、検索を行う場合は仕入先であれば、仕入先番号の一部やフリガナ、電話番号などを使って検索するため、検索を行う前に、利用者が頭の中で利用したい仕入先をまず考えて、その仕入先の番号を検索するための検索システムでしかなかった。
【発明の開示】
【発明が解決しようとする課題】
【０００３】
前記のように、利用者は必要な基本情報を入力又は検索を行うときに、検索システムを使って検索をしているのではなく、必要な基本情報を頭の中で検索し、その結果の入力に必要なキーワード（仕入先番号など）を調べるために検索画面を使って検索を行うしかなかった。その結果、頭の中で検索が出来る情報を個人が蓄積していなければ、検索が出来ないという問題があった。
本発明は、この利用者が必要な基本情報を頭の中で検索する作業を補助し、誰でも必要な基本情報を検索できるようにするためのものである。
【課題を解決するための手段】
【０００４】
利用実績を図１の利用実績マスタとして用意し、図３の利用実績マスタ５のように利用実績を蓄積することで、その利用実績マスタのKEY１を使って今回、購買品調達を行おうとする部品のキーワードで検索し、検索結果をKEY２で集計した結果、実績回数が多いものから順に表示することで、利用者が必要な基本情報を頭の中で検索する作業を、コンピュータを使って記録・検索することで補助し、誰でも必要な基本情報を検索できるようにする。
【発明の効果】
【０００５】
本発明は、従来、利用者が頭の中で考える作業を、利用実績を実績回数として記録し、利用頻度の高い基本情報から優先的に表示することで、利用者の入力作業を効率化し、適切な基本情報を誰でも正しく入力することが出来るということである。
【実施例】
【０００６】
基本情報を図１の基本情報の種類１のように用意する。この基本情報を利用して、購買品調達を図３の利用実績の記録２のように行うことで、利用実績が蓄積されていく。
これによって、以降の購買品調達で仕入先の検索を行う場合、以下のような検索が行われるようになる。
【０００７】
部品Bを工程購入品で発注する場合
図３の利用実績マスタ５でKEY１を部品Bの「H-2」で検索し、結果、仕入先１  実績回数1回、仕入先２  実績回数2回を求める。
図３の利用実績マスタ５でKEY１を購入品の「K-2」で検索し、結果、仕入先１  実績回数1回、仕入先２  実績回数3回を求める。
二つの検索結果から、同じ仕入先の実績回数を足して仕入先１  実績回数2回、仕入先２  実績回数5回とする。
結果、実績回数の多い順に、第一優先として仕入先２、第二優先として仕入先１を表示する。
【０００８】
部品Dを工程購入品で発注する場合
図３の利用実績マスタ５でKEY１を部品Dの「H-4」で検索し、結果、実績回数0回になる。
（検索結果なし）
図３の利用実績マスタ５でKEY１を購入品の「K-2」で検索し、結果、仕入先１  実績回数1回、仕入先２  実績回数3回を求める。
他の検索項目が無いのでこれが検索結果になる。
結果、実績回数の多い順に、第一優先として仕入先２、第二優先として仕入先１を表示する。
【０００９】
部品Cをメーカオムロン、工程購入品で発注する場合
図３の利用実績マスタ５でKEY１を部品Cの「H-3」で検索し、結果、仕入先１  実績回数1回を求める。
図３の利用実績マスタ５でKEY１を購入品の「K-2」で検索し、結果、仕入先１  実績回数1回、仕入先２  実績回数3回を求める。
図３の利用実績マスタ５でKEY１をオムロンの「M-3」で検索し、結果、仕入先２  実績回数1回を求める。
三つの検索結果から、同じ仕入先の実績回数を足して仕入先１  実績回数2回、仕入先２  実績回数4回とする。
結果、実績回数の多い順に、第一優先として仕入先２、第二優先として仕入先１を表示する。
【００１０】
基本情報に登録されていない部品D（H-4）を工程外注で発注する場合
図３の利用実績マスタ５でKEY１を部品Dの「H-4」で検索し、結果、実績回数0回になる。
（検索結果なし）
図３の利用実績マスタ５でKEY１を外注の「K-3」で検索し、結果、仕入先１  実績回数1回を求める。
他の検索項目が無いのでこれが検索結果になる。
結果、仕入先１以外は該当しないので、仕入先１のみを表示する。
以上のように、二種類のキーワードの組み合わせによる利用実績を記録することで、多種多様な購買品調達における利用者の検索作業を補助し、適切な基本情報を得ることが出来る。
【図面の簡単な説明】
【００１１】
【図１】本発明における基本情報の例である。
【図２】本発明における実績の蓄積方法の例である。
【図３】本発明における実績の蓄積方法の例である。
【図１】
2006172330.tif 000003
【図２】
2006172330.tif 000004
【図３】
2006172330.tif 000005
(57)【要約】【課題】  電池をシステムに組み込む場合に安全且つ迅速に作業を行うことのできる出力開放手段を備えた電池モジュールを提供する。【解決手段】  電池２１と、電池２１を収納するとともに、収納した電池２１の正極又は負極にそれぞれ接続される出力端子３、４を有するケース１とを備えた電池モジュールにおいて、出力端子３、４と電池の正極又は負極との接続をオン／オフする手段を設ける。接続をオン／オフする手段は、開閉する接点５と、接点との接触部に絶縁物７を備え、接点の開閉を行うネジ６とからなる。【選択図】        図１
2006172985.tif 000002
【特許請求の範囲】
【請求項１】
電池と、該電池を収納するとともに、収納した電池の正極又は負極にそれぞれ接続される出力端子を有するケースとを備えた電池モジュールにおいて、
前記出力端子と電池の正極又は負極との接続をオン／オフする手段を設けたことを特徴とする電池モジュール。
【請求項２】
請求項１記載の電池モジュールにおいて、
前記接続をオン／オフする手段は、開閉する接点と、該接点との接触部に絶縁物を備え、前記接点の開閉を行うネジとからなることを特徴とする電池モジュール。
【発明の詳細な説明】
【技術分野】
【０００１】
本発明は、電池の直流電力により電動機等を駆動するインバータ装置に係り、特に二次電池を複数個直列接続して高電圧を得る際に、電源システムを安全に構築する方法に関する。
【背景技術】
【０００２】
自動車や鉄道車両の分野では、二次電池を電源としてインバータ装置により誘導電動機を駆動するシステムの開発が進められており、低燃費、低排気ガス、低騒音といった環境にやさしいシステムを構築できるようになった。
【０００３】
一方、上記システムに用いられる電池においては大容量化が図られ、電池モジュールとしては出力電圧が１７０Ｖ程度のものも開発されている。自動車分野においてはこのような電池モジュールを２個直列接続して用いており、また、鉄道車両においては同電池モジュールを４個直列接続している例もある。
【発明の開示】
【発明が解決しようとする課題】
【０００４】
電池はコンデンサと異なり完全に放電した状態にすることができない。特にニッケル水素やリチウムイオン等の二次電池では過放電が電池の劣化を促進する。このため、上記従来例のように４個直列接続すると合計電圧は約７００Ｖにもなり、作業を慎重に行わないと感電する恐れがあった。
【０００５】
本発明の目的は、電池をシステムに組み込む場合に安全且つ迅速に作業を行うことのできる出力開放手段を備えた電池モジュールを提供することにある。
【課題を解決するための手段】
【０００６】
上記目的を達成するため、本発明に係る電池モジュールでは、電池モジュールに内蔵された電池とモジュールケースに設けられた出力端子の間に電池出力をオン／オフするための接点とこの接点を開閉する手段を備えた。
【０００７】
すなわち、本発明は、電池と、該電池を収納するとともに、収納した電池の正極又は負極にそれぞれ接続される出力端子を有するケースとを備えた電池モジュールにおいて、前記出力端子と電池の正極又は負極との接続をオン／オフする手段を設けた電池モジュールである。
【０００８】
また、本発明は、前記接続をオン／オフする手段は、開閉する接点と、該接点との接触部に絶縁物を備え、前記接点の開閉を行うネジとからなる電池モジュールである。
【発明の効果】
【０００９】
本発明によれば、電池モジュール自体に電池出力開放手段を設けたため、電池モジュールをシステムに組み込む際に感電事故を発生させず且つ作業を迅速に行うことができる。
【発明を実施するための最良の形態】
【００１０】
本発明を実施するための最良の形態を説明する。
以下、本発明の電池モジュールの実施例について、図面を用いて説明する。
【実施例１】
【００１１】
実施例１を説明する。図１に本実施例の電池モジュールの回路構成を示す。電池モジュールのケース１の内部に単位電池２１，２２〜２ｎを配置し、これらを直列に接続する。また、同様にケース１の内部に接点５を配置し、単位電池２１の正極と接点５の一方の端子を接続する。
【００１２】
一方、ケース１の外部に正極出力端子３と負極出力端子４をそれぞれ配置し、正極出力端子３と前記接点５の他方の端子、負極出力端子４と単位電池２ｎの負極を接続する。更に、ネジ６と絶縁物７から成る接点操作部を、ケース１を貫通させて接点５と垂直な位置に配置する。
【００１３】
上記構成の電池モジュールの外観を図２に示す。ケース１を直方体として、その一方の単面に正極出力端子３、負極出力端子４を配置し、この正極出力端子３、負極出力端子４間にネジ６を配置する。
【００１４】
上記本実施例の電池モジュール４個を直列接続する例を図３に示す。図３は電池モジュール４個を横方向に並べて接続する場合であるが、以下の手順で作業を行う。
（１）まず各電池モジュールのネジ６，６１，６２，６３をゆるめて電池の出力を開放する。
（２）次に配線８１，８２，８３により各電池モジュールの正極と負極を接続する。
（３）最後に各電池モジュールのネジ６，６１，６２，６３をしめて電池の出力を各出力端子に出力する。
【００１５】
このように、本実施例によれば、直列接続作業中に接触する恐れのある出力端子に電池の出力が印加されていないため、電池モジュールの組み込み作業を安全且つ迅速に行うことができる。
【実施例２】
【００１６】
実施例２を説明する。図４及び図５に本発明の他の実施例を示す。本実施例では電池出力をオン／オフする手段として一般的なＦＦＢスイッチ９を設けた。
【００１７】
図４及び図５に本実施例の電池モジュールの構成を示す。ここで、図１及び図２と同符号は同意味のため説明を省略する。図４においてＦＦＢスイッチ９の一方の端子に単位電池２１の正極を接続し、ＦＦＢスイッチ９の他方の端子に正極出力端子３を接続する。以下は前記図１の説明と同様である。本ＦＦＢスイッチ９は、図５に示すようにケース１の正極出力端子３及び負極出力端子４間に配置する。
【００１８】
本実施例によれば、前記実施例と同様に電池モジュール組み込み作業を安全且つ迅速に行うことができると共に、ＦＦＢスイッチが備える過電流検知機能により電池の過充電、過放電による劣化も防止することができる。
【図面の簡単な説明】
【００１９】
【図１】実施例１の電池モジュールの構成を示す図。
【図２】実施例１の電池モジュールの外観を示す図。
【図３】実施例１の電池モジュールによる電池システム構成例。
【図４】実施例２の電池モジュールの構成を示す図。
【図５】実施例２の電池モジュールの外観を示す図。
【符号の説明】
【００２０】
１，１１，１２，１３…電池モジュール
２１，２２，２ｎ…単位電池
３，３１，３２，３３…正極出力端子
４，４１，４２，４３…負極出力端子
５…接点
６，６１，６２，６３…ネジ
７…絶縁物
８１，８２，８３…配線
９…ＦＦＢスイッチ
【図１】
2006172985.tif 000003
【図２】
2006172985.tif 000004
【図３】
2006172985.tif 000005
【図４】
2006172985.tif 000006
【図５】
2006172985.tif 000007
(57)【要約】【課題】大画面の液晶表示装置に用いられる直下型照明装置において、蛍光管と金属筐体の間には浮遊容量が存在し、蛍光管と金属筐体の距離に反比例して浮遊容量が増え、蛍光管を流れる電流が浮遊容量を通って金属筐体へ流れる漏れ電流によって生じる蛍光管の輝度不均一と、それに起因した照明装置の輝度不均一が生じる。【解決手段】蛍光管支持フレームより蛍光管ホルダーの高さを上げることにより、蛍光管と金属筐体の距離を一定値以上確保することで漏れ電流を減らし、輝度不均一を低減させる。【選択図】図１
2006172965.tif 000002
【特許請求の範囲】
【請求項１】
上面に開口部を有する金属筐体に単数または複数の蛍光管の両端を支持する蛍光管支持フレームを有し、前記蛍光管は蛍光管ホルダーによって支持され、前記筐体の開口部に光透過拡散板を配置した照明装置において、前記蛍光管支持フレームは前記蛍光管と前記金属筐体の底面との距離を維持するが、前記蛍光管ホルダーは、前記蛍光管支持フレームが維持する距離よりも大きい一定値以上の距離を維持することを特徴とする照明装置。
【発明の詳細な説明】
【技術分野】
【０００１】
本発明は光源としての照明装置、とりわけ液晶表示装置に用いられる直下型の照明装置に関するものである。
【背景技術】
【０００２】
マイクロコンピュータ、テレビジョン受像機等の表示装置として利用されている液晶表示装置は非発光性であるため、照明装置の様な光源を必要とする。
【０００３】
この様な照明装置としては、冷陰極管等の細径の蛍光管を用いるのが一般的であり、導光板の側面に蛍光管を配置し導光板の液晶表示面側から光を出射させるエッジライト方式と、筐体内部に反射板及び蛍光管を配置し、筐体開口部に配置した光透過拡散板に蛍光管からの直接光及び蛍光管からの光を反射板で反射させた光を光透過拡散板で入射拡散させて均一な面状光を出射させる様にした直下方式に大別される。
【０００４】
液晶表示装置の中でもモニタ用、テレビジョン受像機用等の高輝度を必要とする用途においては、光の利用効率が高く、必要とする輝度、照光面積に応じて蛍光管の本数を自由に変えることが出来る直下方式が適している。
【０００５】
これに対して小型液晶表示装置用の直下型照明装置においては、蛍光管の管長が短いため、蛍光管の両端部近辺のみを支持する方法又は、全体を支持し光照射方向にのみ開口を有する方法が主として用いられる。
【０００６】
前記の大型液晶表示装置用の直下型照明装置においては、蛍光管の管長が長くなるため、筐体に設けられた蛍光管支持フレームで両端部近辺を支持するだけでは蛍光管の自重による蛍光管のたわみ変形が発生し、光透過拡散板と蛍光管との距離、あるいは反射板と蛍光管との距離が一定でなくなるため、これが輝度不均一の原因の一つとなる。
【０００７】
これらの現象を防ぐ為、通常は蛍光管の長さ方向の１箇所以上に蛍光管固定用の機構部材として蛍光管ホルダーを使用している。
【０００８】
この種の蛍光管ホルダーへの提案として、特開平５−１１９７０３号公報、特開２００１−２１０１２６号公報あるいは特開２００１−２６６６３４号公報が開示されている。
【特許文献１】特開平５−１１９７０３号公報
【特許文献２】特開２００１−２１０１２６号公報
【特許文献３】特開２００１−２６６６３４号公報
【０００９】
特許文献１においては、バックライトの外枠を成し、光源からの光を照光面側に反射する反射板上に光源である蛍光管をその両端部で支える蛍光管支持台の他に、蛍光管を中央部で支える台座を設けている。この構成により、蛍光管の中央部でも蛍光管を支持することになり、外部から加わる力に耐え、蛍光管の破壊を防ぐ提案である。
【００１０】
特許文献２においては、一部に開口部を有する欠円状把持形状を成し、可撓性を有する透明部材で作られ、１管用や多管用を一体成型した蛍光管ホルダーを採用することで、蛍光管を保護すると共に、蛍光管配列の位置精度を確保し情報表示面での輝度不均一を防止し、かつ蛍光管ホルダーの構成部材に透明材を使うことで、蛍光管ホルダーの陰による情報表示面の輝度低下や輝度不均一を防ぐ提案である。
【００１１】
特許文献３は、光源を支持する複数面を持つ光源支持台を有し、バックライト出光面をどのような向きで使用しても、線状光源を支持でき、そのたわみを防止する提案である。
【発明の開示】
【発明が解決しようとする課題】
【００１２】
本発明が解決しようとする課題は、蛍光管と金属筐体の間には浮遊容量が存在し、蛍光管と金属筐体の距離に半比例して浮遊容量が増えるが、蛍光管を流れる電流が浮遊容量を通って金属筐体へ流れる漏れ電流によって生じる蛍光管の輝度不均一と、それに起因した照明装置の輝度不均一の低減である。
【００１３】
上記の特許文献１、特許文献２及び特許文献３は何れも蛍光管の位置精度による輝度不均一や振動・衝撃による蛍光管の破壊を防止することは出来るが、蛍光管や金属筐体自体のたわみによる浮遊容量の変動を抑えることはできない。
【課題を解決するための手段】
【００１４】
本発明は、意図的に蛍光管を蛍光管ホルダーによって金属筐体の底面部と反対側に反らせることにより、蛍光管や金属筐体がたわんでいても、蛍光管と金属筐体の距離を一定値以上に確保するものである。
【００１５】
本発明の蛍光管支持フレームは蛍光管と金属筐体の底面との距離を維持するが、蛍光管ホルダーは、蛍光管支持フレームが維持する距離よりも大きい一定値以上の距離を維持することを特徴とする。
【発明の効果】
【００１６】
本発明の効果として、蛍光管ホルダーにより蛍光管と金属筐体底面の距離を、蛍光管両端の距離より大きくすることで、蛍光管は金属筐体の底面と反対側に凸形状となり、蛍光管と金属筐体底面の距離は、蛍光管両端がもっとも小さくなる。
【００１７】
したがって浮遊容量も蛍光管両端部と等しい距離で配置された場合よりも小さくすることが出来るため、金属筐体への漏れ電流が減少して蛍光管の輝度不均一は低減し、それに起因した照明装置の輝度不均一も低減させることが出来る。
【発明を実施するための最良の形態】
【００１８】
本発明の照明装置の実施の形態を図１にて説明する。
【実施例】
【００１９】
図１を参照して実施例を説明する。図１（ａ）は本発明の照明装置の正面図、図１（ｂ）は断面図である。図１において、１は金属筐体であり、２は反射板、３は蛍光管、４は蛍光管ホルダー、５は蛍光管支持フレーム、６は光透過拡散板である。
【００２０】
図１（ｂ）は蛍光管ホルダー４を中央部の１箇所に配置した取り付け図であり、蛍光管ホルダー４に蛍光管３を挿入し金属筐体１の所定の位置に固定するが、この蛍光管ホルダー４は、蛍光管支持フレーム５よりも蛍光管３の位置を金属筐体１の底面に対して距離が大きくなるように設定されている。
【００２１】
金属筐体１と蛍光管３の間には浮遊容量が存在するが、蛍光管ホルダー４によって、蛍光管３と金属筐体１の底面との距離を一定値以上確保して設定しているため、浮遊容量が小さくなり漏れ電流を小さくすることができるので、浮遊容量による輝度不均一を低減することが出来る。
【図面の簡単な説明】
【００２２】
【図１】本発明の実施例による照明装置の正面図、断面図である。
【符号の説明】
【００２３】
１：金属筐体
２：反射板
３：蛍光管
４：蛍光管ホルダー
５：蛍光管支持フレーム
６：光透過拡散板
【図１】
2006172965.tif 000003
(57)【要約】【課題】  高出力レーザ光に対する耐久性が高いアルミニウム中空ファイバを提供する。【解決手段】  高い可撓性を有する肉薄のガラス細管の内面にアルミニウム薄膜を形成したアルミニウム中空光ファイバにおいて，ガラス管とアルミニウム薄膜の間にアルミニウムとは異なる金属層を設けることにより，表面の粗さを増大させることなしに金属層の厚さを増加させ，高い伝送効率を保持したまま高出力レーザ照射時の耐久性を向上させる。    【選択図】  図１
2006243306.tif 000002
【特許請求の範囲】
【請求項１】
ガラス細管の内面にアルミニウム薄膜を形成したアルミニウム中空光ファイバにおいて，ガラス管とアルミニウム薄膜の間にアルミニウムとは異なる金属層を設けることによって，高出力レーザ光に対する耐久性を向上させたアルミニウム中空光ファイバ。
【請求項２】
前記金属層が，銀，ニッケル，銅，モリブデンもしくはクロムであることを特徴とする請求項１に記載のアルミニウム中空光ファイバ
【請求項３】
前記金属層が，メッキ法もしくは化学気相成長法によって形成されたことを特徴とする請求項１に記載のアルミニウム中空光ファイバ。
【請求項４】
前記レーザ光が，短パルス光であることを特徴とする請求項１に記載のアルミニウム中空光ファイバ。
【発明の詳細な説明】
【技術分野】
【０００１】
本発明は，アルミニウム中空光ファイバをその製造方法に関するものである。
【背景技術】
【０００２】
細径石英ガラス管の内面にアルミニウム薄膜が形成された中空ファイバあるいは中空光ファイバは，主に紫外および真空紫外レーザ光の伝送路として開発が進んでいる。また，この中空ファイバは空気やガスをコアとして用いるため，端面破壊の可能性も低く，また端面での反射がないので，通常の石英ガラス光ファイバでは伝送することのできない大きな瞬時電力をもつ短パルス光の伝送に適しており，ＱスイッチＮｄ：ＹＡＧレーザに代表されるナノ秒パルス光や，さらにパルス幅の短いピコ秒，フェムト秒パルスを用いた産業およぼ医療分野への応用が展開されている。
【０００３】
アルミニウム中空ファイバにおいて瞬時電力の大きなレーザパルス光を伝送する際，特にファイバを曲げた部分においてガラス管内面に形成したアルミニウム薄膜にレーザ照射によるアブレーションが生じ，アルミニウム薄膜に損傷をきたすことがある。この損傷はファイバ伝送損失の上昇を招き，ひいてはファイバ自体の損傷を招くことがある。
【０００４】
ガラス管に内装するアルミニウム薄膜のレーザ照射に対する耐久性を向上させるためには，アルミニウム層の膜厚を増加させるという手法が考えられるが，厚膜化にともない，アルミニウム薄膜の表面粗さが増大し，特に紫外・真空紫外領域という短波長の光に対する散乱損失の上昇によりファイバの伝送効率が低下するという欠点があった。
【特許文献１】特許第３３４１００７号公報
【発明の開示】
【発明が解決しようとする課題】
【０００５】
本発明の目的は，アルミニウム中空光ファイバの高出力レーザ光に対する耐久性を向上させることにある。 
【課題を解決するための手段】
【０００６】
本発明は上記の目的を達成するために，ガラス細管の内面にアルミニウム薄膜を形成したアルミニウム中空光ファイバにおいて，ガラス管とアルミニウム薄膜の間にアルミニウムとは異なる金属層を設けることによって，高出力レーザ光に対する耐久性を向上させたアルミニウム中空光ファイバを提供する。
【０００７】
ここで前記金属層が，銀，ニッケル，銅，モリブデンもしくはクロムのいずれかであってもよく，また，前記金属層が，メッキ法もしくは化学気相成長法によって形成されたものであっても良い。さらに前記レーザ光が，短パルス光であることを特徴とするものであってもよい。
【発明の効果】
【０００８】
金属層の厚さが増大するために，金属層の強度が増して，レーザ照射に対する耐久性が向上する。
【０００９】
ガラスに対してアルミニウムより高い付着強度を呈する金属を中間層とすれば，金属層の付着強度が増して，レーザ照射に対する耐久性が向上する。
【００１０】
金属層の厚さが増加しても，アルミニウム薄膜の厚さは小さくすることができるので，その表面粗さも低く抑えることができる。
【００１１】
金属層の機械的強度，付着強度の増加，表面粗さの低減による伝送損失の低減により，瞬時電力が大きなレーザ光を伝送した際の耐久性が向上する。
【発明を実施するための最良の形態】
【００１２】
以下，本発明の実施の形態の一例を詳述する。中間層となる金属としては銀薄膜を銀鏡反応にもとづくメッキ法によって形成した場合について以下に詳説するが，銀以外の金属を，メッキ法以外のさまざまな手法で形成しても同様の効果が得られる。たとえば，モリブデンをＣＶＤ法によりガラス管内面に生成することも可能である。中間金属層の上にアルミニウム薄膜を形成したときに，平滑な表面が得られるように，金属層の表面も充分平滑である必要がある。好ましくは表面粗さの二乗平均値が１０ｎｍ以下，真空紫外などのより短波長へ適応させるためには，５ｎｍ以下である必要がある。また，中間層となる金属層の厚さには特に制限はないが，充分な平滑性を得るためには３００ｎｍ以下であることが好ましい。また，基礎となるガラス細管については，充分な可撓性が得られるように，内径１ｍｍ以下，かつガラス肉厚が１００μｍ以下であることが好ましく，その表面に樹脂による保護コーティングが施されているものであっても良い。
【００１３】
銀薄膜をガラス細管の内面に形成するために，硝酸銀水溶液をブドウ糖溶液と混合させ，ただちにガラス細管内に流入させる。このときに溶液の濃度，量および流入速度を制御することにより，生成される銀薄膜の厚さを決定することができる。また，この中間金属層の厚さをきわめて薄く，５０ｎｍ以下として，半透明な黒褐色を呈するものとすれば，表面の粗さを小さく抑えることができるうえ，次工程であるアルミニウム成膜の際に，アルミニウム薄膜の形成を目視で確認することができる。また，銀薄膜形成の際に，複数のガラス細管を束ねることにより，同時に多数の細管に処理を行うことも可能である。
【００１４】
次に，この中間金属層を形成したガラス細管の内面にさらにアルミニウム薄膜を形成する。その方法としては有機金属を原料とする化学気相成長法（ＭＯＣＶＤ法）を用いることが好ましい。有機アルミニウム原料の蒸気をガラス細管内に流入させ，外部から５０−１５０℃程度に加熱すると，細管の内面にアルミニウム薄膜が形成される。この際に，前工程として，塩化チタンの蒸気による処理を施すと，より低い温度で反応が生じ，アルミニウムの表面粗さを低減することが可能である。外部から加熱を行うヒータをガラス管にそって移動させることにより，管の長手方向に一様な厚さをもつアルミニウム薄膜を形成することが可能であり，本手法では長さ１０ｃｍ程度の短いものから，２ｍ以上の長いものまで製造可能である。
【図面の簡単な説明】
【００１５】
【図１】本発明の一実施形態を示す断面図である。
【符号の説明】
【００１６】
１    中空ファイバ
２    ガラスキャピラリーチューブ
３    中間金属層
４    アルミニウム薄膜
５    中空領域
【図１】
2006243306.tif 000003
(57)【要約】【課題】  シリコン接着剤に含まれている低分子シロキサンの含有率を規制して、反射鏡の内面に低分子シロキサンが付着して白濁することを抑制し、反射鏡内面の反射率が低下し、ランプ前方に放射される光が低下することのない反射鏡付放電ランプを提供することを目的とする。【解決手段】  この発明に係る反射鏡付放電ランプは、反射鏡の内部に発光管が収納され、反射鏡の前面開口部を塞ぐように設けられた保護ガラスがシリコン接着剤により反射鏡に固定された反射鏡付放電ランプにおいて、シリコン接着剤に含まれる低分子シロキサンの含有率を２００ｐｐｍ以下としたことを特徴とする。【選択図】        図１
2006243250.tif 000002
【特許請求の範囲】
【請求項１】
反射鏡の内部に発光管が収納され、前記反射鏡の前面開口部を塞ぐように設けられた保護ガラスがシリコン接着剤により前記反射鏡に固定された反射鏡付放電ランプにおいて、
前記シリコン接着剤に含まれる低分子シロキサンの含有率を２００ｐｐｍ以下としたことを特徴とする反射鏡付放電ランプ。
【発明の詳細な説明】
【技術分野】
【０００１】
この発明は、投写装置の光源として用いられる反射鏡付放電ランプに関するものである。
【背景技術】
【０００２】
反射鏡付放電ランプの発光管の発光部分は、球面、楕円面、放物面等の碗状の反射鏡の焦点に位置し、放射された光は反射鏡の内面に施された反射膜によって反射され、ランプ前方に放射される。放射された光はランプ前方に設けられた光学系に入射する。反射鏡の前面に取付けられた保護ガラスは、発光管が破損した場合、ガラス破片が外部に飛散しないように保護する。保護ガラスは、シリコン接着剤によって、反射鏡に固定されている。
【特許文献１】特開２００２−３１９３１０号公報
【発明の開示】
【発明が解決しようとする課題】
【０００３】
従来の反射鏡付放電ランプは、保護ガラスを反射鏡に固定するシリコン接着剤に含まれている低分子シロキサンが、点灯とともに揮発し、反射鏡の内面に付着して白濁する。このため、反射鏡内面の反射率が低下し、ランプ前方に放射される光が低下する問題がある。
【０００４】
この発明は、上記のような問題点を解決するためになされたもので、シリコン接着剤に含まれている低分子シロキサンの含有率を規制して、反射鏡の内面に低分子シロキサンが付着して白濁することを抑制し、反射鏡内面の反射率が低下し、ランプ前方に放射される光が低下することのない反射鏡付放電ランプを提供することを目的とする。
【課題を解決するための手段】
【０００５】
この発明に係る反射鏡付放電ランプは、反射鏡の内部に発光管が収納され、反射鏡の前面開口部を塞ぐように設けられた保護ガラスがシリコン接着剤により反射鏡に固定された反射鏡付放電ランプにおいて、シリコン接着剤に含まれる低分子シロキサンの含有率を２００ｐｐｍ以下としたことを特徴とする。
【発明の効果】
【０００６】
この発明に係る反射鏡付放電ランプは、上記構成により、反射鏡の内面に低分子シロキサンが付着して白濁することを抑制し、反射鏡内面の反射率が低下し、ランプ前方に放射される光が低下することがなくなる。
【発明を実施するための最良の形態】
【０００７】
実施の形態１．
図１〜３は実施の形態１を示す図で、図１は反射鏡付放電ランプの断面図、図２は反射鏡付放電ランプの正面図、図３は低分子シロキサンの化学式を示す図である。
図において、反射鏡付放電ランプの発光管１の発光部分は、球面、楕円面、放物面等の碗状の反射鏡２の焦点に位置し、放射された光は反射鏡２の内面に施された反射膜によって反射され、ランプ前方に放射される。放射された光はランプ前方に設けられた投写装置の光学系に入射する。反射鏡２の前面に取付けられた保護ガラス３は、発光管１が破損した場合、ガラス破片が外部に飛散しないように保護する。保護ガラス３は、シリコン接着剤４によって、反射鏡２に固定されている。
【０００８】
シリコン接着剤４には、低分子シロキサンが含まれている。
シリコン製品の主成分であるジメチルポリシロキサンの中で、低分子量で両端が合わさり輪になったものを環状ポリシロキサンと呼ぶ。この環状ポリシロキサン（低分子シロキサン）は、Ｓｉの数によりＤ３、Ｄ４、Ｄ５・・・と呼ばれ、Ｄの数が少ないほど分子量が小さいために揮発しやすくなる。
【０００９】
本発明で述べる低分子シロキサンは、図３に示すように、Ｄｎ（ｎ＝３〜１０）の総和である。
【００１０】
低分子シロキサンは、温度が高くなるほど揮発量が増し、反射鏡２内面に付着し、白濁の程度が強くなる。シリコン接着剤４には、低分子シロキサンの含有率の異なるものがある。低分子シロキサンの含有率が２００ｐｐｍ以下のシリコン接着剤４を使用することにより、低分子シロキサンが揮発して反射鏡２内面に付着する白濁を低減できることを実験により確認した。
【００１１】
上述の実施の形態によれば、反射鏡付放電ランプにおいて、保護ガラス３を反射鏡２の前面開口部に固定するシリコン接着剤４の低分子シロキサンの含有率を２００ｐｐｍ以下にすることにより、反射鏡２の内面に低分子シロキサンが付着して白濁することを抑制し、反射鏡２内面の反射率が低下し、ランプ前方に放射される光が低下することがなくなる。
【図面の簡単な説明】
【００１２】
【図１】実施の形態１を示す図で、反射鏡付放電ランプの断面図である。
【図２】実施の形態１を示す図で、反射鏡付放電ランプの正面図である。
【図３】実施の形態１を示す図で、低分子シロキサンの化学式を示す図である。
【符号の説明】
【００１３】
１  発光管、２  反射鏡、３  保護ガラス、４  シリコン接着剤。
【図１】
2006243250.tif 000003
【図２】
2006243250.tif 000004
【図３】
2006243250.tif 000005
(57)【要約】      （修正有）【課題】演奏時ギター共鳴板の腕による振動阻害を防止して、良質音を得る装置を提供する。【解決手段】問題はギター共鳴胴に右胸と右腕で共鳴部を圧迫しないようにすればよい訳で、特に演奏する右腕が共鳴胴に触れないように、その部分をプロテクターで覆ってやれば絃の振動を共鳴胴が忠実に共鳴して良質な音色、より大きな音響で音楽を奏することができる。【選択図】図１
2006243685.tif 000002
【特許請求の範囲】
【請求項１】
ギター共鳴板に演奏する右腕部が接する部分に、腕が直接触れないようにプロテクターの取り付けを特徴とするギター
【請求項２】
ギターの側板内に磁石を固定し、プロテクターの終焉部辺両端にも楽器を傷めないよう磁石の上面にゴム或いは皮革等を貼りつけた磁石で、ギター内、外の磁力で吸着固定でき、プロテクターの着脱も自由なるを特徴とする仕組み
【発明の詳細な説明】
【技術の分野】
【０００１】  本発明は、演奏時ギター共鳴板の腕による振動阻害を防止して、良質音を得る装置に関するものである。〔背景技術〕
【０００２】  クラシックギター演奏時に於ける最良の基本姿勢は、椅子に腰かけてギター共鳴板を繞る側板の凹部を右腿上に置き、共鳴板上部の図１（２）の右端曲線のあたりを、右腕と右胸部で表・裏の共鳴板を挾んで、右手指先で絃を弾き演奏するのが一般である。この時の共鳴板の右上部かどは右腕と右胸部で楽器を安定させるための圧迫による影響を受けるので、その部分の共鳴板は、絃による振動が十分得られず、音質、音量とも約８０％くらいしか出ていないと推量される。〔発明の開示〕〔発明が解決しようとする課題〕
【０００３】  現在あるギターは楽器保持のため止むなく右腕と右胸によって楽器を締めつけ安定せざるを得ない形態になっている。そのため音色、音量が十分活されていない。この事は奏者鑑賞者側とも、大きな損失と思われる。〔課題を解決するための手段〕
【０００４】  本発明は絃の振動を楽器の安定保持のため、人為的に起こる楽器への圧迫から共鳴板（〔図３〕１３、１４）が（〔図１〕３、４）に当たる部分の締めつけで、絃から伝わる振動が凡そ８０％前後に抑制されていると考えられる。その弱点を制御する保護装置（以下プロテクターと呼ぶ）（〔図１〕２）で腕が当たらないようにすれば共鳴板は１００％近く共鳴する。従って音質、音量ともに豊かさを回復する。
【０００５】  このプロテクターには（〔図３〕〔図４〕）で見られるように共鳴板の側板（１２）にぴったり沿うようにプロテクターの脚（４）がついている。その脚（４）の略中間と裏共鳴板（１４）の底部に近くネオジウム磁石（６）と（１０）があり、磁石の表面にはゴム或いは皮革など側板を傷つけないために（〔図４〕７・１１）を組込み、一方共鳴板の側板内側にも固定された磁石（１５）（１６）がプロテクター脚磁石（６）（１０）と吸着できるように向きあっていて、この働きでプロテクターをしっかり支え固定している。〔発明の効果〕
【０００６】  共鳴の阻害をしていた腕の重さが共鳴板を抑えることなく、絃の振動を共鳴板全体で伝えるので良質な楽音を聴くことができる。〔発明を実施するための最良の形態〕
【０００７】  ギター演奏には、坐演、立演、歩行演などがあるが、最良は椅子に腰かけての基本姿勢の演奏がプロテクターを十分活すものである。〔産業上の利用可能性〕
【０００８】  本ギターの性能の向上で、楽器製造業、またプロテクターの部品を製作する工場等に些少の経済効果が出るかも知れない。
【図面の簡単な説明】
【０００９】
【図１】ギターにプロテクターを装着した平面図
【図２】プロテクターの平面図
【図３】ギター共鳴胴にプロテクターを取付けた一部断面図
【図４】プロテクター及び磁石、皮革の一部断面図
【図１】
2006243685.tif 000003
【図２】
2006243685.tif 000004
【図３】
2006243685.tif 000005
【図４】
2006243685.tif 000006
(57)【要約】【課題】  手で押さえることなく、長時間使用可能な、挿入型望遠メガネを提供する。【解決手段】  幅の異なる大小２つのメガネ枠のそれぞれに、凸レンズの対物レンズと凹レンズの接眼レンズを取り付け、片方のメガネ枠の両側の柄の一部に、もう片方のメガネ枠の両側の柄を挿入させることができる挿入用部品を取り付け、それらを組み合わせることにより、望遠鏡の機能を持たせる。【選択図】  図１
2006243684.tif 000002
【特許請求の範囲】
【請求項１】
幅の異なる大小２つのメガネ枠のそれぞれに、凸レンズの対物レンズと凹レンズの接眼レンズを取り付け、片方のメガネ枠の両側の柄の一部に、もう片方のメガネ枠の両側の柄を挿入させることができる挿入用部品を取り付け、それらを組み合わせることにより、望遠鏡の機能を持たせることができるようにした挿入型望遠メガネ。
【請求項２】
前記のもう片方のメガネ枠の柄を挿入させることができる挿入用部品に、挿入するメガネの移動を固定する固定ネジを螺着したことを特徴とする請求項１記載の挿入型望遠メガネ。
【発明の詳細な説明】
【技術分野】
【０００１】    本発明は、挿入型望遠メガネに関するものであり、凸レンズの対物レンズと凹レンズ  の接眼レンズをそれぞれ幅の異なる大小２つのメガネ枠に取り付け、それらを挿入して  組み合わせ、メガネのように耳に掛け、焦点を調整することにより、遠くのものを拡大  して見ることができるように工夫したものである。
【背景技術】
【０００２】    従来から、手で押さえて用いる望遠鏡やオペラグラスがあり、また帽子とメガネを利  用して用いる望遠メガネとして次の特許文献１が提案されている。
【特許文献１】特開２００１−３０５４９２号公報
【発明の開示】
【発明が解決しようとする課題】
【０００３】  しかし、従来からある望遠鏡やオペラグラスでは、常に手で押さえる必要があり、長時間使用するには、手が疲れるという問題があった。例えば、オペラグラスで観劇の舞台を見る場合、長時間にわたる場合には手がとても疲れるという問題があった。また、会議や講演を聴講する場合等において、遠く離れた発表内容が表示された表示板を見る場合に、遠くを拡大して見ることの出来る器具があればとても便利である。特開２００１−３０５４９２号公報で提案されている望遠メガネでは、帽子と組み合わせる必要があり、構造が煩雑で、また持ち運びには不便性を感じる。本発明は、手の疲れや、構造の煩雑性、持ち運びの不便性等を解決することを課題とする。
【課題を解決するための手段】
【０００４】  この課題を解決するための請求項１の発明は、幅の異なる大小２つのメガネ枠のそれぞれに、凸レンズの対物レンズと凹レンズの接眼レンズを取り付け、片方のメガネ枠の両側の柄の一部に、もう片方のメガネ枠の両側の柄を挿入させることができる挿入用部品を取り付け、それらを組み合わせることにより、望遠鏡の機能を持たせることができるようにしたことを特徴とする。【０００５】  この課題を解決するための請求項２の発明は、もう片方のメガネ枠の両側の柄を挿入させることができる挿入用部品に固定ネジを螺着し、焦点の調整後にその固定ネジにより挿入したメガネの位置を固定することができるようにしたことを特徴とする。
【発明の効果】
【０００６】  本発明により、手の疲れや、構造の煩雑性、持ち運びの不便性等を感じることなく、望遠鏡の機能を利用することが出来る。
【発明を実施する為の最良の形態】
【０００７】  図１は、当該挿入型望遠メガネの全体外観斜視図である。当該挿入型望遠メガネは、凹レンズの接眼レンズ３を持つメガネ部１と凸レンズの対物レンズ４を持つメガネ部２とからなり、メガネ部２の両側の柄をメガネ部１の両側の柄に取り付けられている挿入用部品５に挿入して用いる。望遠メガネの焦点を合わせるには、メガネ部１に挿入したメガネ部２を前後に移動し、焦点を固定するには、挿入用部品５に螺着された固定ネジ６を回す。当該望遠メガネは、普通のメガネと同様に耳に掛けて使用する。
【０００８】  図２は、メガネ部２をメガネ部１に挿入する前の状態を示している。メガネ部１の柄は通常のメガネと同様に耳に掛けることができる様に湾曲しているが、メガネ部２の柄は、メガネ部１に挿入する為にまっすぐになっている。
【０００９】  図３は、メガネ部１とメガネ部２がそれぞれ普通のメガネの様に折りたためることを示している。折りたたむことにより簡単に持ち運ぶことが出来る。
【００１０】  図４は、メガネ部１に取り付けられた挿入用部品５の拡大図を示しており、挿入用部品５にはメスネジが切られており、その部分にオスネジが切られた固定ネジ６が螺着されていることを示している。メガネ部２をメガネ部１に挿入して望遠メガネを用い、焦点を合わせた後、固定ネジ６を回して、メガネ部２の位置を固定する。
【００１１】  図５は、固定ネジ６を両側の挿入用部品５に螺着した場合を示している。通常は、メガネ部１に挿入されたメガネ部２を固定するには、固定ネジ６は片側の挿入用部品５にのみ螺着するだけで十分であるが、図５の様に両側に螺着しても良い。
【産業上の利用可能性】
【００１２】  本発明は、工業的に量産する事が可能であるため、産業上の利用可能性を有する。
【図面の簡単な説明】
【００１３】
【図１】  望遠メガネの全体外観斜視図である。
【図２】  望遠メガネの分解外観斜視図である。
【図３】  望遠メガネの分解外観斜視図である。
【図４】  望遠メガネの部分拡大斜視図である。
【図５】  望遠メガネの全体外観斜視図である。
【符号の説明】
【００１４】    １  接眼レンズを有するメガネ部
２  対物レンズを有するメガネ部
３  接眼レンズ
４  対物レンズ
５  挿入用部品
６  固定ネジ
【図１】
2006243684.tif 000003
【図２】
2006243684.tif 000004
【図３】
2006243684.tif 000005
【図４】
2006243684.tif 000006
【図５】
2006243684.tif 000007
(57)【要約】【課題】従来のサインボードは立体感や奥行き感に欠ける問題があった。これは、サインボード内に進入した光によりサイン部のみが光るためである。【解決手段】サインボードの端面に傾斜を付けて、傾斜端面を粗面にし或いは塗装を施した。これにより傾斜端面も光を反射して光ることにより、立体感や奥行き感を出すことができる。【選択図】図１
2006243683.tif 000002
【特許請求の範囲】
【請求項１】
板状透明基材の表面或いは裏面に文字や絵柄のサインを入れ、光源を板状透明基材の端面に配置したサインボードで、光源が配置された以外の端面の一部或いは全部に傾斜を付け、傾斜部をブラスト処理等で粗面にし、奥行き感、立体感をもたせたことを特徴とする。
【請求項２】
板状透明基材の表面或いは裏面に文字や絵柄のサインを入れ、光源を板状透明基材の端部に配置したサインボードで、光源が配置された以外の端面の一部或いは全部に傾斜を付け、傾斜部に塗装を施して、奥行き感、立体感をもたせたことを特徴とする。
【請求項３】
光源がＬＥＤであることを特徴とする、請求項１または２に記載のサインボード
【発明の詳細な説明】
【技術分野】
【０００１】  本発明は、板状透明基材の表面或いは裏面に文字や絵柄をブラストやレーザーにより彫刻を施し、或いは塗料を印刷等で塗布して形成し、更に光源からの光を板状透明基材の端面から照射して文字や絵柄で光を反射させて、見る人にサインやメッセージを伝える板状のサインボードに関する。
【背景技術】
【０００２】  従来、板状透明基材からなるサインボードの下面側に光源を並べてサインボード内に光を照射し、サインボードの正面か反対面に形成された文字や絵柄のサインにボード内を透過した光を当て、サインを強調するものが使用されている。板状透明基材にはアクリル、ポリカーボネイトなどのプラスチックや無機ガラスが使用されている。また光源には主にＬＥＤが使用されている。【０００３】  以下、図２により従来のサインボードについて説明する。図において、１はアクリル等の透明材料でできた板状のサインボードで、２は絵柄や文字サイン部でありブラストやレーザー等による彫刻や塗料を印刷して形成する。３はサインボードの下側に配置された光源であり、ＬＥＤ等が内蔵されており、サインボード内部に光を照射する。【０００４】  光源３からの光はサインボードの内部に進入し、サイン部に当たって乱反射することにより、サイン部が光って見える。４はサインボードの端面であり、特に工夫は工夫は施されていない。
【発明の開示】
【発明が解決しようとする課題】
【０００４】  しかしながら、光が反射し光って見える部分がサイン部２のみのため、ボード自体の奥行き感、立体感が得られず、ボード自体は平面的な美観性に乏しい見え方をする。【０００５】  またボードを厚くして奥行き感、立体感を出そうとしているものがあるが、ボードの真正面から見た場合、端面４で反射した光は見えないため厚みは感じられず、奥行き感、立体感は得られない。【０００６】  本発明は、このような従来のサインボードが有していた問題を解決しようとするものであり、サインボードの奥行き感、立体感を持たせ美観性を高めることを目的とするものである。
【課題を解決するための手段】
【０００７】  本発明者は、鋭意検討、工夫した結果、光源の配置側すなわち入光側以外のボード端面に傾斜を設け、傾斜面をブラスト処理等により粗面化し、或いは、塗料を塗布することによって光を表面側に反射させ、奥行き感、立体感を向上することを可能にした。【０００８】  サインボードの下側から入射した光はサインボード内を透過し、一部はサイン部に当たって乱反射し、残りは傾斜を付けた端面で反射する。それにより正面から見ても傾斜を付けた端面が光って見えるため、ボードに奥行き感、立体感を持たせることを可能となった。【０００８】  傾斜を付ける方向は通常は正面側から反対面側にボードの中央に向かうようにつける。したがって傾斜をつけることにより、正面の面積が反対面の面積よりも小さくなる。ここで正面とは、人が見る側の面を意味し、反対はその反対側の面を意味する。【０００９】  或いは、逆に傾斜の向きを反対にして、反対面側から正面側にボードの中央に向かうようにつけても良い。【００１０】  傾斜を付ける端面は光源のある端面以外の、上側端面、左側端面、右側端面のいずれかでも良いし、それら複数の組み合わせであっても良い。或いは、一つの端面の一部のみに傾斜を付けても良い。
【発明の効果】
【００１１】  上述したように本発明のサインボードは、傾斜を付けた端面部が光って見えることにより、奥行き感、立体感を持ち美観性に優れたものとなる。
【発明を実施するための最良の形態】
【００１２】  以下に、本発明の実施の形態を図１に基づいて説明する。【００１３】  図においては、５はサインボードの傾斜を付けた端面である。１〜４は
【背景技術】に記載したのと同じである。【００１４】  光源部３からの光はサインボードの内部に進入し、サイン部２に当たって乱反射することによりサイン部が光って見える。残りの光の多くは傾斜を付けた端面５に当たって反射する。傾斜が付いているため、正面から見ても光って見える。また傾斜のない場合より端面面積が大きいため光って見える面積も大きくなる。また傾斜の角度を変化させることにより、光の反射具合の調節が可能である。以上のように、本実施形態によれば傾斜した端面が光って見えるため、立体感、奥行き感が得られるものである。
【図面の簡単な説明】
【００１５】
【図１】図本発明の実施例におけるサインボードの一例で、正面から見た図
【図２】従来のサインボードの一例で正面から見た
【符号の説明】
【００１６】  １サインボード
２文字や絵柄のサイン
３光源部
４サインボードの端面
５傾斜を付けた端面
６電源コンセント
【図１】
2006243683.tif 000003
【図２】
2006243683.tif 000004
(57)【要約】      （修正有）【課題】メガネのずり下がりを防止する。【解決手段】テンプル耳掛けカバーａが側頭部に沿って下方に曲がる耳介頂点付近で屈曲点ｂから頭部後方に向かって、側頭部、後頭部に沿うように少なくとも一本の角状の長い突起ｄを一体に形成する。見た目では耳掛けカバーが耳介頂点付近から二股、あるいはそれ以上に分かれている形状である。【選択図】図１
2006243682.tif 000002
【特許請求の範囲】
【請求項１】
セルローズプロピオネイト（ＣＰ）、アセチ、ポリカーボネイト、ナイロンなど熱可塑性のプラスティック樹脂を用い一体射出成形にて作られる眼鏡テンプル用の耳掛けカバー（モダンあるいは先セルとも言われる）で、耳介頂点付近の屈曲点から後頭部に回り込むように少なくとも一本以上の長い角が突き出ているもの
【請求項２】
セルロースアセテート（酢酸セルロース）などで出来た板状あるいはブロック状の素材を切り出して成形される眼鏡テンプル用の耳掛けカバーで、耳介頂点付近の屈曲点から後頭部に回り込むように少なくとも一本以上の長い角が突き出ているもの
【発明の詳細な説明】
【発明の詳細な説明】
【技術分野】
【０００１】本発明は、眼鏡テンプル用の耳掛けカバーに関する。
【背景技術】
【０００２】従来眼鏡テンプル用の耳掛けカバーは熱可塑性のプラスティック樹脂製であっても、あるいは板状やブロック状のプラスティック樹脂を切り出して成形されるものであっても、中心部に１本以上の金属線を心棒として持ち、成形後に側頭部耳介頂点付近で頭部下方に曲げられるものである。耳掛けカバーを耳介に引っ掛ける一方で耳掛けカバーと側頭部の皮膚との接触摩擦を利用してメガネが顔面前方に移動しようとするのを留めあるいはメガネが顔面下方に移動しようとするのを留めようとする【０００３】上記テンプル用耳掛けカバーで金属線の心棒を持たずに、成形時点で同時に側頭部耳介頂点付近で頭部下方に曲げられて出来上がるものもある【０００４】最近では上記テンプル用耳掛けカバーで、金属線の心棒をその内部中心に持つもの、持たないものを問わず側頭部耳介頂点付近で頭部下方に曲げずに、真っ直ぐなまま使用するものもある。
【発明が解決しようとする課題】
【０００５】しかしながら、１本のプラスティック棒状のものを側頭部に隙間なく接触する様に曲げることは金属線の心棒のあるなしにかかわらず難しく、また成形時に同時に頭部下方に向かって屈曲した形状を作っても１００人百様の頭部形状に沿うことは難しく、近業で下方にうつむいた時ばかりでなく、水平遠方視の場合でさえ、メガネがずり下がるのを防止することは難しい。スポーツ時など激しい動きの最中にレンズに慣性の働く時には尚更メガネは所定の位置にとどまることが出来ない。
【課題を解決するための手段】
【０００６】そこで本発明においては、上記課題を解決するために、側頭部耳介頂点付近の耳掛けカバー屈曲点から頭部後方に向かって、側頭部、後頭部に沿うように少なくとも一本の角状の長い突起を一体に形成する。見た目では耳掛けカバーが耳介頂点付近から二股、あるいはそれ以上に分かれている形状である。
以下本発明を図示する
【実施例】
【０００７】図１は本発明の第一実施例３面図であり、耳掛けカバーａは側頭部耳介頂点付近屈曲点ｂで二股に分かれ、一方の枝ｃは頭部下方に向かって従来の耳掛けカバーのように曲がっている。もう一方の角状に長い突起（枝）ｄは側頭部、後頭部を沿うように頭部後方に向かって一体に成形されている。【０００８】図２は従来の眼鏡テンプル用耳掛けカバーの側面断面図である。金属線の心棒ｅが耳掛けカバーｆの中心部を通り、側頭部耳介頂点付近ｇでの屈曲の維持を補助する役目をしている。この金属線の心棒はその一方で、微妙なアウトラインを描く側頭部に耳掛けカバーが沿うように調整することを困難にしている。【０００９】図１に示されるように、耳掛けカバーａの中心には長い角状突起ｄの先端付近まで金属線の心棒が通ることが出来るように細い穴ｈが開けられ、その芯を頼りに長い角状突起ｄが側頭部、後頭部に沿うようにそのカーブの調整をすることが出来る
【発明の効果】
以上のように、本発明によると耳介付近屈曲点から逃亡後方に伸びた長い角状突起がメガネの保持力を増加し、メガネのずり落ち防止に貢献することとなる
【図面の簡単な説明】
【図１】本発明の実施例３面図
【図２】従来の眼鏡用テンプル及び耳掛けカバー斜視図
【符号の説明】
ａ・・・・耳掛けカバー
ｂ・・・・屈曲点（耳介頂点に対応）
ｃ・・・・枝（下方）
ｄ・・・・枝（角状突起）
ｅ・・・・金属テンプル芯
ｆ・・・・耳掛けカバー
ｇ・・・・屈曲点
ｈ・・・・テンプル芯挿入穴
【図１】
2006243682.tif 000003
【図２】
2006243682.tif 000004